(57)【要約】      （修正有）【課題】ユニット同士を簡単、かつ、迅速に連結、分離することができるシステム什器を提供する。【解決手段】四角柱形状を呈する、断面が方形で、かつ、中実または中空の金属から作られており、正面側に位置する一端部の高さ方向における下半部には、正面側に向かって突出する第一の舌片部１１が連続するように形成する。また、背面側に位置する他端部の高さ方向における上半部には、背面側に向かって突出する第二の舌片部１２が連続するように形成するとともに、前記第一の舌片部１１の中央部には、高さ方向に貫通して、別の脚２の前記第二の舌片部１２に設けられたピン１８を受け入れるピン挿入穴を設ける。さらに、前記第二の舌片部１２の下面の中央部には、断面視円形状を呈するとともに前記下面から下方に延びて、別の脚２の前記第一の舌片部１１に設けられた前記ピン挿入穴に挿入される前記ピン１８を設ける。【選択図】図４
0003174565.tif 000002
【実用新案登録請求の範囲】
【請求項１】
種種の部材を組合せて、組み立てることにより、所望の什器とすることができるシステム什器の脚であって、
四角柱形状を呈する、断面が方形で、かつ、中実または中空の金属から作られており、正面側に位置する一端部の高さ方向における下半部には、正面側に向かって突出する第一の舌片部が連続するようにして形成され、背面側に位置する他端部の高さ方向における上半部には、背面側に向かって突出する第二の舌片部が連続するようにして形成されているとともに、
前記第一の舌片部の中央部には、高さ方向に貫通して、別の脚の前記第二の舌片部に設けられたピンを受け入れるピン挿入穴が設けられており、
前記第二の舌片部の下面の中央部には、断面視円形状を呈するとともに前記下面から下方に延びて、別の脚の前記第一の舌片部に設けられた前記ピン挿入穴に挿入される前記ピンが設けられていることを特徴とするシステム什器の脚。
【請求項２】
前記一端部の下面および前記他端部の下面に、設置される床面との間隔を調整するアジャスターがそれぞれ設けられていることを特徴とする請求項１に記載のシステム什器の脚。
【請求項３】
請求項１または２に記載のシステム什器の脚を備えていることを特徴とするシステム什器。
【請求項４】
請求項１または２に記載のシステム什器の脚の、長手方向における中央部の上面に、この上面と直交する向きに立設された、四角柱形状を呈する、断面が方形で、かつ、中空の金属から作られた縦バーと、
前記縦バー内に収容されて、前記縦バーに対して進退可能に構成された、前記縦バーとは別の縦バーと、を備えていることを特徴とするシステム什器。
【請求項５】
請求項１または２に記載のシステム什器の脚に着脱可能に構成されて、２本の前記脚同士を連結する横バーを備えていることを特徴とするシステム什器。
【考案の詳細な説明】
【技術分野】
【０００１】
本考案は、システム什器に関し、特に、複数のユニットを組み合わせることができるシステム什器に関するものである。
【背景技術】
【０００２】
さて、例えば、ホームセンターやアパレル店舗において商品を陳列する、あるいはホームセンターやアパレル店舗のバックヤード（在庫品を保管する場所）において商品を陳列するのに用いられるハンガーラック（什器）としては、例えば、特許文献１に開示されているものが知られている。
【先行技術文献】
【特許文献】
【０００３】
【特許文献１】特開２００４−１５９９０３号公報
【考案の概要】
【考案が解決しようとする課題】
【０００４】
しかしながら、上記特許文献１の図１に示されているハンガーラック同士を、上記特許文献１の図３に示されているように連結する場合、ピン１５ａ，１５ｂを引き抜いて、上面片１３１ａ，１３１ｂと底面片１３２ａ，１３２ｂとの間に、ピン挿入穴１６ａ，１６ｂが設けられた支持フレーム１１ａ，１１ｂの端部を挿入し、上面片１３１ａ，１３１ｂに設けられた貫通穴１３４ａ，１３４ｂと、ピン挿入穴１６ａ，１６ｂと、底面片１３２ａ，１３２ｂに設けられた貫通穴１３５ａ，１３５ｂとを合わせ、ピン１５ａ，１５ｂを挿入することになる。
また、上記特許文献１の図３に示されているように連結された二台のハンガーラックを分離する場合、ピン１５ａ，１５ｂを引き抜いて、上面片１３１ａ，１３１ｂと底面片１３２ａ，１３２ｂとの間から、ピン挿入穴１６ａ，１６ｂが設けられた支持フレーム１１ａ，１１ｂの端部を引き離した後、ピン挿入穴１６ａ，１６ｂにピン１５ａ，１５ｂを挿入することになる。
そのため、ハンガーラック同士を連結したり、連結されたハンガーラックを分離する際の作業が煩雑になり、無用な労力が必要とされるといった問題点があった。
【０００５】
本考案は、上記の事情に鑑みてなされたもので、組み立てられたシステム什器（ユニット）同士を簡単、かつ、迅速に連結、分離することのできるシステム什器を提供することを目的とする。
【課題を解決するための手段】
【０００６】
本考案は、上記課題を解決するため、以下の手段を採用した。
本考案に係るシステム什器の脚は、種種の部材を組合せて、組み立てることにより、所望の什器とすることができるシステム什器の脚であって、四角柱形状を呈する、断面が方形で、かつ、中実または中空の金属から作られており、正面側に位置する一端部の高さ方向における下半部には、正面側に向かって突出する第一の舌片部が連続するようにして形成され、背面側に位置する他端部の高さ方向における上半部には、背面側に向かって突出する第二の舌片部が連続するようにして形成されているとともに、前記第一の舌片部の中央部には、高さ方向に貫通して、別の脚の前記第二の舌片部に設けられたピンを受け入れるピン挿入穴が設けられており、前記第二の舌片部の下面の中央部には、断面視円形状を呈するとともに前記下面から下方に延びて、別の脚の前記第一の舌片部に設けられた前記ピン挿入穴に挿入される前記ピンが設けられている。
【０００７】
本考案に係るシステム什器の脚によれば、第一の舌片部の中央部に設けられた貫通穴に、別の脚の第二の舌片部に設けられたピンを上方向から挿入して重ねるだけで、脚同士を簡単、かつ、迅速に連結、分離することができる。
【０００８】
上記システム什器の脚において、前記一端部の下面および前記他端部の下面に、設置される床面との間隔を調整するアジャスターがそれぞれ設けられているとさらに好適である。
【０００９】
このようなシステム什器の脚によれば、脚の一端部における下面と、設置される床面との間隔、および脚の他端部における下面と、設置される床面との間隔を、適宜必要に応じて調整することができる。
【００１０】
本考案に係るシステム什器は、上記いずれかのシステム什器の脚を備えている。
【００１１】
本考案に係るシステム什器によれば、第一の舌片部の中央部に設けられた貫通穴に、別の脚の第二の舌片部に設けられたピンを上方向から挿入して重ねるだけで、システム什器同士を簡単、かつ、迅速に連結、分離することができる。
【００１２】
本考案に係るシステム什器は、上記いずれかのシステム什器の脚の、長手方向における中央部の上面に、この上面と直交する向きに立設された、四角柱形状を呈する、断面が方形で、かつ、中空の金属から作られた縦バーと、前記縦バー内に収容されて、前記縦バーに対して進退可能に構成された、前記縦バーとは別の縦バーと、を備えている。
【００１３】
本考案に係るシステム什器によれば、第一の舌片部の中央部に設けられた貫通穴に、別の脚の第二の舌片部に設けられたピンを上方向から挿入して重ねるだけで、システム什器同士を簡単、かつ、迅速に連結、分離することができる。
また、脚に立設された縦バーに対して、この縦バー内に収容された別の縦バーを高さ方向に進退（伸縮）させることにより、システム什器の高さを簡単、かつ、迅速に変更することができる。
【００１４】
本考案に係るシステム什器は、上記いずれかのシステム什器の脚に着脱可能に構成されて、２本の前記脚同士を連結する横バーを備えている。
【００１５】
本考案に係るシステム什器によれば、第一の舌片部の中央部に設けられた貫通穴に、別の脚の第二の舌片部に設けられたピンを上方向から挿入して重ねるだけで、システム什器同士を簡単、かつ、迅速に連結、分離することができる。
また、脚同士が横バーを介して連結されることになるので、脚と脚との間隔を一定に保つことができて、システム什器の安定性を向上させることができる。
【考案の効果】
【００１６】
本考案に係るシステム什器によれば、組み立てられたシステム什器（ユニット）同士を簡単、かつ、迅速に連結、分離することのできるという効果を奏する。
【図面の簡単な説明】
【００１７】
【図１】本考案の第１実施形態に係るシステム什器を正面側から見た斜視図である。
【図２】本考案の第１実施形態に係るシステム什器を正面側から見た分解斜視図である。
【図３】本考案に係るシステム什器を構成する脚の上面図である。
【図４】本考案に係るシステム什器を構成する脚の左側面図である。
【図５】本考案に係るシステム什器を構成する脚の正面図である。
【図６】本考案に係るシステム什器を構成する脚の右側面図である。
【図７】本考案に係るシステム什器を構成する脚の背面図である。
【図８】本考案に係るシステム什器を構成する脚の下面図である。
【図９】本考案に係るシステム什器を構成する縦バーの上面図である。
【図１０】本考案に係るシステム什器を構成する縦バーの左側面図である。
【図１１】本考案に係るシステム什器を構成する縦バーの正面図である。
【図１２】本考案に係るシステム什器を構成する縦バーの右側面図である。
【図１３】本考案に係るシステム什器を構成する縦バーの背面図である。
【図１４】本考案に係るシステム什器を構成する縦バーの下面図である。
【図１５】本考案に係るシステム什器を構成する横バーの上面図である。
【図１６】本考案に係るシステム什器を構成する横バーの左側面図である。
【図１７】本考案に係るシステム什器を構成する横バーの正面図である。
【図１８】本考案に係るシステム什器を構成する横バーの右側面図である。
【図１９】本考案に係るシステム什器を構成する横バーの背面図である。
【図２０】本考案に係るシステム什器を構成する横バーの下面図である。
【図２１】本考案に係るシステム什器を構成する横バー固定具の斜視図である。
【図２２】本考案に係るシステム什器を構成する横バー固定具の上面図である。
【図２３】本考案に係るシステム什器を構成する横バー固定具の右側面図である。
【図２４】本考案に係るシステム什器を構成する横バー固定具の背面図である。
【図２５】本考案に係るシステム什器を構成するハンドルネジの斜視図である。
【図２６】本考案に係るシステム什器を構成するハンドルネジの正面図である。
【図２７】本考案に係るシステム什器を構成するハンドルネジの下面図である。
【図２８】本考案に係るシステム什器を構成するハンドルネジの左側面図である。
【図２９】本考案に係るシステム什器を構成するハンドルネジの上面図である。
【図３０】本考案の第２実施形態に係るシステム什器を正面側から見た斜視図である。
【図３１】本考案に係るシステム什器を構成するメッシュパネルの斜視図である。
【図３２】本考案に係るシステム什器を構成するメッシュパネルの上面図である。
【図３３】本考案に係るシステム什器を構成するメッシュパネルの右側面図である。
【図３４】本考案に係るシステム什器を構成するメッシュパネルの背面図である。
【図３５】本考案に係るシステム什器を構成するメッシュパネルの左側面図である。
【図３６】本考案に係るシステム什器を構成するメッシュパネルの正面図である。
【図３７】本考案に係るシステム什器を構成するメッシュパネルの下面図である。
【図３８】図３４のＡ−Ａ矢視断面図である。
【図３９】本考案の第３実施形態に係るシステム什器を正面側から見た斜視図である。
【図４０】本考案に係るシステム什器を構成するスリットパーツの斜視図である。
【図４１】本考案に係るシステム什器を構成するスリットパーツの上面図である。
【図４２】本考案に係るシステム什器を構成するスリットパーツの左側面図である。
【図４３】本考案に係るシステム什器を構成するスリットパーツの正面図である。
【図４４】本考案に係るシステム什器を構成するスリットパーツの右側面図である。
【図４５】本考案に係るシステム什器を構成するスリットパーツの背面図である。
【図４６】本考案に係るシステム什器を構成するスリットパーツの下面図である。
【図４７】本考案に係るシステム什器を構成するブラケットの斜視図である。
【図４８】本考案に係るシステム什器を構成するブラケットの上面図である。
【図４９】本考案に係るシステム什器を構成するブラケットの正面図である。
【図５０】本考案に係るシステム什器を構成するブラケットの右側面図である。
【図５１】本考案に係るシステム什器を構成するブラケットの背面図である。
【図５２】本考案に係るシステム什器を構成するブラケットの左側面図である。
【図５３】本考案に係るシステム什器を構成するブラケットの下面図である。
【図５４】本考案の第４実施形態に係るシステム什器を背面側から見た斜視図である。
【図５５】本考案に係るシステム什器を構成する天板の斜視図である。
【図５６】本考案に係るシステム什器を構成する天板の上面図である。
【図５７】本考案に係るシステム什器を構成する天板の正面図である。
【図５８】本考案に係るシステム什器を構成する天板の左側面図である。
【図５９】本考案に係るシステム什器を構成する天板の背面図である。
【図６０】本考案に係るシステム什器を構成する天板の右側面図である。
【図６１】本考案に係るシステム什器を構成する天板の下面図である。
【図６２】本考案に係るシステム什器を構成する囲い部材の斜視図である。
【図６３】本考案に係るシステム什器を構成する囲い部材の上面図である。
【図６４】本考案に係るシステム什器を構成する囲い部材の左側面図である。
【図６５】本考案に係るシステム什器を構成する囲い部材の正面図である。
【図６６】本考案に係るシステム什器を構成する囲い部材の右側面図である。
【図６７】本考案に係るシステム什器を構成する囲い部材の背面図である。
【図６８】本考案に係るシステム什器を構成する囲い部材の下面図である。
【図６９】本考案の第５実施形態に係るシステム什器を示す斜視図である。
【図７０】本考案に係るシステム什器を構成する床板の斜視図である。
【図７１】本考案に係るシステム什器を構成する床板の上面図である。
【図７２】本考案に係るシステム什器を構成する床板の左側面図である。
【図７３】本考案に係るシステム什器を構成する床板の正面図である。
【図７４】本考案に係るシステム什器を構成する床板の右側面図である。
【図７５】本考案に係るシステム什器を構成する床板の背面図である。
【図７６】本考案に係るシステム什器を構成する床板の下面図である。
【図７７】図７６のＢ−Ｂ矢視断面図である。
【図７８】本考案に係るシステム什器を構成する脚の斜視図である。
【図７９】本考案に係るシステム什器を構成する脚の上面図である。
【図８０】本考案に係るシステム什器を構成する脚の左側面図である。
【図８１】本考案に係るシステム什器を構成する脚の正面図である。
【図８２】本考案に係るシステム什器を構成する脚の右側面図である。
【図８３】本考案に係るシステム什器を構成する脚の背面図である。
【図８４】本考案に係るシステム什器を構成する脚の下面図である。
【図８５】本考案の第６実施形態に係るシステム什器を示す斜視図である。
【考案を実施するための形態】
【００１８】
〔第１実施形態〕
以下、本考案の第１実施形態に係るシステム什器について、図１から図２９を参照しながら説明する。
図１および図２に示すように、本実施形態に係るシステム什器１は、左右一対の脚２と、左右一対の縦バー３と、上下一対の横バー４と、左右一対の横バー固定具５と、４個のハンドルネジ６と、を備えている。
図３から図８の少なくとも一図に示すように、脚２は、左外側または右外側から見たときに（略）Ｔ字形状を呈する部材であり、前後方向に沿って延びるベース２ａと、上下方向に沿って延びる縦バー２ｂと、を備えている。
【００１９】
ベース２ａは、四角柱形状を呈する、断面が方形で、かつ、中実（または中空）の金属（例えば、スチール（鋼））から作られており、左外側または右外側から見たときにコ字形状を呈する部材である。ベース２ａの正面側（前面側）に位置する一端部の高さ方向における下半部には、正面側に向かって突出する（第一の）舌片部１１が連続するようにして形成され、ベース２ａの背面側（後側）に位置する他端部の高さ方向における上半部には、背面側に向かって突出する（第二の）舌片部１２が連続するようにして形成されている。
【００２０】
なお、舌片部１１の下面は、ベース２ａの一端部における下面と同一平面をなすようにして形成され、舌片部１１の両側面は、ベース２ａの一端部における両側面と同一平面をなすようにして形成されている。
また、舌片部１１の上面１３は、別の（別途組み立てられた）システム什器１の脚２の舌片部１２の下面１４の（略）全体と接するようにして形成され、ベース２ａの一端部の高さ方向における上半部を形成する正面（前面）１５は、舌片部１２の端面１６の（略）全体と接するようにして形成されている。
【００２１】
舌片部１１の中央部には、高さ方向に貫通して、後述するピン１８を受け入れるピン挿入穴１７が設けられている。
一方、舌片部１２の下面１４の中央部には、断面視円形状を呈するとともに下面１４から下方に延びて、別の（別途組み立てられた）システム什器１の脚２の舌片部１１に設けられたピン挿入穴１７に挿入されるピン１８が設けられている。
【００２２】
ベース２ａの一端部における下面、およびベース２ａの他端部における下面には、高さを調整するためのアジャスター２１がそれぞれ設けられている。アジャスター２１は、円柱形状を呈する軸部（図示せず）と、この軸部の先端（下端）に連続するようにして固定された円板形状を呈する座部２１ａとを備えており、軸部外周面には、ベース２ａの一端部における下面、およびベース２ａの他端部における下面に穿設されて当該軸部を受け入れる穴（図示せず）の内周面に設けられた雌ネジ部と螺合する雄ネジ部が設けられている。そして、アジャスター２１は、自身を下外側から見て時計回り回転させることによって軸部が穴にねじ込まれ、自身を下外側から見て反時計回り回転させることによって軸部が穴から出てきて、ベース２ａの一端部における下面と、設置される床面（図示せず）との間隔、およびベース２ａの他端部における下面と、設置される床面（図示せず）との間隔を調整することができる。
【００２３】
ベース２ａの前後方向（長手方向）における中央部の両側面には、横バー固定具５を構成する座金（スプリングワッシャー）組込六角穴付ボルト（以下、「六角穴付ボルト」という。）５１の軸部外周面に設けられた雄ネジ部５１ａを受け入れる穴２２がそれぞれ穿設されており、穴２２の内周面には、雄ネジ部５１ａと螺合する雌ネジ部（図示せず）が設けられている。
【００２４】
ベース２ａの前後方向（長手方向）における中央部の下面には、立方体形状を呈する凸部２３が下側に向かって連続するようにして設けられている。凸部２３は、四角柱形状を呈する、断面が方形で、かつ、中空（または中実）の金属（例えば、スチール（鋼））により、外周面が、横バー４の両端部に設けられた係合部４１，４２の内周面と合致するようにして形成されている。また、凸部２３の外周面を形成する正面（前面）には、六角穴付ボルト５１の軸部外周面に設けられた雄ネジ部５１ａを受け入れる穴２２が穿設されており、穴２２の内周面には、雄ネジ部５１ａと螺合する雌ネジ部（図示せず）が設けられている。
【００２５】
縦バー２ｂは、四角柱形状を呈する、断面が方形で、かつ、中空の金属（例えば、スチール（鋼））により、ベース２ａの前後方向（長手方向）における中央部の上面から上側に向かって連続するようにして形成されている。縦バー２ｂの先端部（ベース２ａに接続される側と反対側の端部）における正面（前面）、背面（後面）、および両側面には、板厚方向に貫通して、ハンドルネジ６の軸部外周面に設けられた雄ネジ部６ａを受け入れる穴２４がそれぞれ穿設されている。なお、穴２４の内周面には、雄ネジ部６ａと螺合する雌ネジ部（図示せず）は設けられていない。
【００２６】
図９から図１４の少なくとも一図に示すように、縦バー３は、四角柱形状を呈する、断面が方形で、かつ、中空の金属（例えば、スチール（鋼））により、外周面が、縦バー２ｂの内周面と合致するようにして形成されている。縦バー３の一端（縦バー２ｂ内に挿入されたときに上方に位置する上端）に形成される開口は、上面３ａにより塞がれている。
なお、縦バー３の他端（縦バー２ｂ内に挿入されたときに下方に位置する下端）に形成される開口は、図１４に示すように、塞がれず、開口のままとされている。
【００２７】
縦バー３の一端部（縦バー２ｂ内に挿入されたときに上方に位置する上端部）における両側面には、板厚方向に貫通して、ハンドルネジ６の軸部外周面に設けられた雄ネジ部６ａを受け入れる穴３１がそれぞれ一つずつ穿設されており、穴３１の内周面には、雄ネジ部６ａと螺合する雌ネジ部（図示せず）が設けられている。
縦バー３の正面には、ハンドルネジ６の軸部外周面に設けられた雄ネジ部６ａを受け入れる穴３１が、一端部から他端部（縦バー２ｂ内に挿入されたときに下方に位置する下端部）にかけて、長手方向に沿って一直線上に並ぶようにして、所定の間隔をあけて複数（本実施形態では２１個）穿設されており、各穴３１の内周面には、雄ネジ部６ａと螺合する雌ネジ部（図示せず）が設けられている。
【００２８】
縦バー３の一端部における背面には、ハンドルネジ６の軸部外周面に設けられた雄ネジ部６ａを受け入れる穴３１が、長手方向に沿うとともに所定の間隔をあけて複数（本実施形態では２個）穿設されており、各穴３１の内周面には、雄ネジ部６ａと螺合する雌ネジ部（図示せず）が設けられている。
【００２９】
図１５から図２０の少なくとも一図に示すように、横バー４は、四角柱形状を呈する、断面が方形で、かつ、中空（または中実）の金属（例えば、スチール（鋼））から作られており、前外側または後外側から見たときにＩ字形状を呈する部材である。横バー４の左側に位置する一端には、左側に向かって突出する係合部４１が連続するようにして形成され、横バー４の右側に位置する他端には、右側に向かって突出する係合部４２が連続するようにして形成されている。係合部４１，４２はそれぞれ、断面が方形で、かつ、中空の金属（例えば、スチール（鋼））により、内周面が、凸部２３の外周面と合致するようにして形成されている。係合部４１を形成する正面、背面、左側面、係合部４２を形成する正面、背面、右側面には、板厚方向に貫通して、六角穴付ボルト５１の軸部外周面に設けられた雄ネジ部５１ａを受け入れる穴４３がそれぞれ穿設されている。なお、穴４３の内周面には、雄ネジ部５１ａと螺合する雌ネジ部（図示せず）は設けられていない。
【００３０】
一方、横バー４の各端部における下面（上下逆さまにして使用する際には上面）には、六角穴付ボルト５１の軸部外周面に設けられた雄ネジ部５１ａを受け入れる穴２２がそれぞれ一つずつ穿設されており、穴２２の内周面には、雄ネジ部５１ａと螺合する雌ネジ部（図示せず）が設けられている。
【００３１】
図２１から図２４の少なくとも一図に示すように、横バー固定具５は、複数本（本実施形態では３本）の六角穴付ボルト５１と、一枚の金具５２と、を備えている。
六角穴付ボルト５１は、軸部外周面に雄ネジ部５１ａが設けられ、頭部頂面に六角穴５１ｂが設けられており、軸部には、座金（スプリングワッシャー）５３が取り付けられている。
金具５２は、平面視矩形状を呈する板状の金属（例えば、スチール（鋼））を、その長手方向における中央で直角に折り曲げるようにして作られた、左外側または右外側から見たときにＬ字形状を呈する板状の部材である。また、金具５２の長手方向における各端部には、板厚方向に貫通して、六角穴付ボルト５１の軸部外周面に設けられた雄ネジ部５１ａを受け入れる穴５４がそれぞれ穿設されている。なお、穴５４の内周面には、雄ネジ部５１ａと螺合する雌ネジ部（図示せず）は設けられていない。
【００３２】
図２５から図２９の少なくとも一図に示すように、ハンドルネジ６は、軸部外周面に雄ネジ部６ａが設けられ、頭部頂面に六角穴６ｂが設けられたハンドル付きのネジであり、上外側または下外側から見たときに正六角形状を呈する頭部の、対向する二つの側面には、左側および右側に向かって突出するハンドル６１が設けられている。
【００３３】
なお、六角穴付ボルト５１の軸部外周面に設けられた雄ネジ部５１ａと、ハンドルネジ６の軸部外周面に設けられた雄ネジ部６ａとは、同じ規格とされている。すなわち、雄ネジ部５１ａの外径、谷の径、ピッチと、雄ネジ部６ａの外径、谷の径、ピッチは、それぞれ同じである。
また、雄ネジ部５１ａと螺合する雌ネジ部と、雄ネジ部６ａと螺合する雌ネジ部とは、同じ規格とされている。すなわち、雄ネジ部５１ａと螺合する雌ネジ部の内径、谷の径、ピッチと、雄ネジ部６ａと螺合する雌ネジ部の内径、谷の径、ピッチは、それぞれ同じである。
【００３４】
本実施形態に係るシステム什器１によれば、舌片部１１の中央部に設けられた貫通穴１７に、別の脚２の舌片部１２に設けられたピン１８を上方向から挿入して重ねるだけで、脚２同士を簡単、かつ、迅速に連結、分離することができる。
【００３５】
また、本実施形態に係るシステム什器１によれば、一端部の下面および他端部の下面に、設置される床面との間隔を調整するアジャスター２１がそれぞれ設けられているので、脚２の一端部における下面と、設置される床面との間隔、および脚２の他端部における下面と、設置される床面との間隔を、適宜必要に応じて調整することができる。
【００３６】
さらに、本考案に係るシステム什器１によれば、ベース２ａに立設された縦バー２ｂに対して、この縦バー２ｂ内に収容された別の縦バー３を高さ方向に進退（伸縮）させることにより、システム什器１の高さを簡単、かつ、迅速に変更することができる。
【００３７】
さらにまた、本考案に係るシステム什器１によれば、脚２に着脱可能に構成されて、２本の脚２同士が横バー４を介して連結されることになるので、脚２と脚２との間隔を一定に保つことができて、システム什器１の安定性を向上させることができる。
【００３８】
さらにまた、本考案に係るシステム什器１によれば、上方に位置する横バー４に、衣類等を吊り下げたハンガー（図示せず）を引っ掛けて、衣類等を保管、陳列、展示することができる。
【００３９】
〔第２実施形態〕
本考案の第２実施形態に係るシステム什器について、図３０から図３８を参照しながら説明する。
図３０に示すように、本実施形態に係るシステム什器７１は、左右一対の脚２と、左右一対の縦バー３と、上下一対の横バー４と、左右一対の横バー固定具５と、４個のハンドルネジ６と、メッシュパネル７２と、を備えている。すなわち、本実施形態に係るシステム什器７１は、上述したシステム什器１に、メッシュパネル７２を装着したものである。
なお、脚２、縦バー３、横バー４、横バー固定具５、およびハンドルネジ６については、上述した第１実施形態のものと同じであるので、ここではそれら構成要素についての説明は省略する。
また、上述した第１実施形態と同一の部材には同一の符号を付している。
【００４０】
図３１から図３８の少なくとも一図に示すように、メッシュパネル７２は、フレーム７３と、格子７４と、を備えている。
フレーム７３は、四角柱形状を呈する、断面が方形で、かつ、中空（または中実）の金属（例えば、スチール（鋼））から作られた左右一対の縦枠７５と、上下一対の横枠７６と、を備え、これら縦枠７５の両端と横枠７６の両端とが連続するようにして接続された、正面視（背面視）縦長の四角形状を呈する枠体である。
【００４１】
フレーム７３の上方に位置する横枠７６の背面における両端部には、背面側に向かって突出する係止部７７がそれぞれ一つずつ設けられている。係止部７７は、平面視矩形状を呈する板状の金属（例えば、スチール（鋼））を、その長手方向における所定の位置で直角に折り曲げるようにして作られた、左外側または右外側から見たときにコ字形状を呈する板状の部材であり、開いた口（開口）が下方を向くようにして固定されている。また、係止部７７を形成する正面側の板状の部材および背面側の板状の部材は、その間隔が、横バー４の正面と背面との距離（前後方向における厚み）と等しくなるように形成されており、図３５に示すように、係止部７７を横バー４に引っ掛けることができるようになっている。
【００４２】
なお、図３０に示す状態においては、係止部７７を形成する正面側の板状の部材の内面と、横バー４の正面とが接し、係止部７７を形成する背面側の板状の部材の内面と、横バー４の背面とが接して、係止部７７を形成する上面側の板状の部材の内面と、横バー４の上面とが接することになる。
【００４３】
また、フレーム７３の左方に位置する縦枠７５の背面における下端部には、左側に向かって突出する（第１の）押さえ板７８が一つ設けられており、フレーム７３の右方に位置する縦枠７５の背面における下端部には、右側に向かって突出する（第２の）押さえ板７９が一つ設けられている。押さえ板７８，７９は、メッシュパネル７２をシステム什器１に装着したときに、フレーム７３の下端部が縦バー２ｂと縦バー２ｂとの間に入り込む（落ち込む）のを防止するものであり、平面視矩形状を呈する板状の金属（例えば、スチール（鋼））で作られている。押さえ板７９は、その下端が、横枠７６の下端と一直線をなすようにして取り付けられており、押さえ板７８は、その下端が、押さえ板７９の上端と一直線をなすようにして取り付けられている。
【００４４】
格子７４は、上下方向に沿って延びる縦桟８１Ａと、左右方向に沿って延びる横桟８２Ａと、を備えている。
縦桟８１Ａは、円柱形状を呈する、断面が円形で、かつ、中実の金属（例えば、スチール（鋼））から作られた丸棒状の部材であり、左右方向に等間隔をあけ、かつ、互いに平行となるようにして、左右方向に沿って複数本（本実施形態では１０本）配置されている。また、縦桟８１Ａの上端は、上方に位置する横枠７６の下面に溶接にて接合され、縦桟８１Ａの下端は、下方に位置する横枠７６の上面に溶接にて接合されている。
【００４５】
横桟８２Ａは、円柱形状を呈する、断面が円形で、かつ、中実の金属（例えば、スチール（鋼））から作られた丸棒状の部材であり、上下方向に等間隔をあけ、かつ、互いに平行となるようにして、上下方向に沿って複数本（本実施形態では１６本）配置されている。また、横桟８２Ａの左端は、左方に位置する縦枠７５の内面（右側面）に溶接にて接合され、横桟８２Ａの右端は、右方に位置する縦枠７５の内面（左側面）に溶接にて接合されている。さらに、縦桟８１Ａおよび横桟８２Ａはそれぞれ、同一平面を形成し、縦桟８１Ａと横枠７６とは、溶接にて接合され、横桟８２Ａと縦枠７５とは、溶接にて接合されている。
【００４６】
本実施形態に係るシステム什器７１によれば、図示しないフック等を介して商品や物品等をメッシュパネル７２に引っ掛けて陳列したり、展示したりすることができる。
その他の作用効果は、上述した第１実施形態と同じであるので、ここではその説明を省略する。
【００４７】
〔第３実施形態〕
本考案の第３実施形態に係るシステム什器について、図３９から図５３を参照しながら説明する。
図３９に示すように、本実施形態に係るシステム什器８１は、左右一対の脚２と、左右一対の縦バー３と、上下一対の横バー４と、左右一対の横バー固定具５と、８個の六角穴付ボルト５１と、スリットパーツ８２と、ブラケット８３と、棚板（図示せず）と、を備えている。すなわち、本実施形態に係るシステム什器８１は、４個のハンドルネジ６の代わりに４個の六角穴付ボルト５１を用いて組み立てられた上述のシステム什器１に、スリットパーツ８２と、ブラケット８３と、棚板（図示せず）と、を装着したものである。
なお、脚２、縦バー３、横バー４、横バー固定具５、および六角穴付ボルト５１については、上述した第１実施形態のものと同じであるので、ここではそれら構成要素についての説明は省略する。
また、上述した第１実施形態と同一の部材には同一の符号を付している。
【００４８】
図３９に示すように、本実施形態では、左右一対の縦バー３は、正面が互いに対向するように内側を向いた状態で対応する縦バー２ｂ内に挿入されており、縦バー２ｂ同士が対向する面の先端部に設けられた穴２４を介して挿入された六角穴付ボルト５１が穴３１にねじ込まれることにより、縦バー２ｂに対して固定される。また、上方に位置する横バー４は、係合部４１，４２を形成する正面に設けられた穴４３を介して挿入された六角穴付ボルト５１が穴３１にねじ込まれることにより、縦バー３に対して固定される。
【００４９】
図４０から図４６の少なくとも一図に示すように、スリットパーツ８２は、前後一対のスリットバー８４，８５と、スリットバー８４とスリットバー８５とを連結する２個の連結部材８６と、を備えている。
スリットバー８４は、四角柱形状を呈する、断面が方形で、かつ、中空の金属（例えば、スチール（鋼））から作られており、スリットパーツ８２の正面となる面には、板厚方向に貫通して、ブラケット８３の爪８３ａを受け入れる（ブラケット８３の爪８３ａが係止される）スリット８７が、高さ方向（上下方向）に沿って複数個（本実施形態では６０個）、幅方向（左右方向）に沿って２列、設けられている。
【００５０】
スリットバー８５は、四角柱形状を呈する、断面が方形で、かつ、中空の金属（例えば、スチール（鋼））から作られており、スリットパーツ８２の背面となる面には、スリットバー８４と同様、板厚方向に貫通して、ブラケット８３の爪８３ａを受け入れる（ブラケット８３の爪８３ａが係止される）スリット８７が、高さ方向（上下方向）に沿って複数個（本実施形態では６０個）、幅方向（左右方向）に沿って２列、設けられている。
スリット８７は、正面（背面）から見て縦長の矩形状を呈する貫通穴であり、スリットバー８４，８５のその他の面には設けられていない。
【００５１】
スリットパーツ８２の右側面となる、スリットバー８４の側面における下端、およびスリットパーツ８２の左側面となる、スリットバー８５の側面における下端にはそれぞれ、スリットバー８４，８５の下端から下方に向かって突出する振れ止め板８８が溶接にて接合されている。振れ止め板８８は、平面視において縦長の矩形状を呈する板状の部材であり、これにより、縦バー２ｂおよび縦バー３に装着されたスリットパーツ８２の下端の左右への振れが防止されることになる。
【００５２】
連結部材８６は、四角柱形状を呈する、断面が方形で、かつ、中空の金属（例えば、スチール（鋼））から作られており、内周面は、縦バー２ｂと同様、縦バー３の外周面と合致するようにして形成され、外周面は、縦バー２ｂの外周面と同じになるようにして形成されている。連結部材８６の一方は、正面全体がスリットバー８４の上端部に位置する背面と接し、背面全体がスリットバー８５の上端部に位置する背面（スリットパーツ８２の背面となる面と反対側の面）と接するように、溶接にて接合されている。連結部材８６の他方は、正面全体がスリットバー８４の長手方向における中央部に位置する背面と接し、背面全体がスリットバー８５の長手方向における中央部に位置する背面（スリットパーツ８２の背面となる面と反対側の面）と接するように、溶接にて接合されている。また、連結部材８６の両側面には、板厚方向に貫通して、六角穴付ボルト５１の軸部外周面に設けられた雄ネジ部５１ａ（またはハンドルネジ６の軸部外周面に設けられた雄ネジ部６ａ）を受け入れる穴８９がそれぞれ穿設されている。なお、穴８９の内周面には、雄ネジ部５１ａ（または雄ネジ部６ａ）と螺合する雌ネジ部（図示せず）は設けられていない。
【００５３】
図４７から図５３の少なくとも一図に示すように、ブラケット８３は、左外側または右外側から見たときに細長い（略）直角三角形状を呈する板状の部材であり、最も短い辺が位置する端部には、スリット８７内に挿入されて（嵌め込まれて）スリット８７と係合する爪８３ａが上下方向に沿って複数個（本実施形態では３個）設けられている。また、ブラケット８３の上部には、図示しない棚板の下面に幅方向に沿って設けられた線条の突起を受け入れる（線条の突起と係合する）複数個（本実施形態では３個）の凹所（切欠）８３ｂが、斜辺の側に向かって掘り下げられる（切り込まれる）ようにして設けられている。
【００５４】
本実施形態に係るシステム什器８１によれば、図示しない棚板をブラケット８３の上において、その上に商品や物品等を陳列したり、展示したりすることができる。
また、ブラケット８３の高さ方向における位置を変えるだけで、棚板の高さを容易、かつ、迅速に変更することができる。
【００５５】
本実施形態に係るシステム什器８１によれば、舌片部１１の中央部に設けられた貫通穴１７に、別の脚２の舌片部１２に設けられたピン１８を上方向から挿入して重ねるだけで、脚２同士を簡単、かつ、迅速に連結、分離することができる。
【００５６】
また、本実施形態に係るシステム什器８１によれば、一端部の下面および他端部の下面に、設置される床面との間隔を調整するアジャスター２１がそれぞれ設けられているので、脚２の一端部における下面と、設置される床面との間隔、および脚２の他端部における下面と、設置される床面との間隔を、適宜必要に応じて調整することができる。
【００５７】
さらに、本考案に係るシステム什器８１によれば、脚２に着脱可能に構成されて、２本の脚２同士が横バー４を介して連結されることになるので、脚２と脚２との間隔を一定に保つことができて、システム什器８１の安定性を向上させることができる。
【００５８】
〔第４実施形態〕
本考案の第４実施形態に係るシステム什器について、図５４から図６８を参照しながら説明する。
図５４に示すように、本実施形態に係るシステム什器９１は、左右一対の脚２と、横バー４よりも長い一本の横バー４Ｌと、左右一対の横バー固定具５と、２個のハンドルネジ６と、平台パーツ９２と、を備えている。すなわち、本実施形態に係るシステム什器９１は、上述したシステム什器１における左右一対の縦バー３、上下一対の横バー４、および４個のハンドルネジ６の代わりに、一本の横バー４Ｌ、平台パーツ９２、および２個のハンドルネジ６を装着したものである。
なお、脚２、横バー固定具５、およびハンドルネジ６については、上述した第１実施形態のものと同じであるので、ここではそれら構成要素についての説明は省略する。
また、横バー４Ｌは、横バー４の長さが長くなっただけのもの（例えば、横バー４の長さを６００ｍｍとした場合に、その長さを９００ｍｍあるいは１１７２ｍｍとしただけのもの）であるので、ここでは横バー４Ｌの説明は省略する。
さらに、上述した第１実施形態と同一の部材には同一の符号を付している。
【００５９】
平台パーツ９２は、図５５から図６１に示す平台９３と、図６２から図６８に示す囲い部材９４と、を備えている。
図５５から図６１の少なくとも一図に示すように、平台９３は、上面視（下面視）長方形状を呈する天板９５と、天板９５の周縁を取り囲むフレーム９６と、を備えている。
天板９５は、例えば、積層合板の表面（上面）全体に化粧板が貼り付けられた板状の部材である。
【００６０】
フレーム９６は、四角柱形状を呈する、断面が方形で、かつ、中実（または中空）の金属（例えば、スチール（鋼））から作られた左右一対の枠９７と、前後一対の枠９８と、を備え、これら枠９７の両端と枠９８の両端とが連続するようにして接続された、上面視（下面視）横長の四角形状を呈する枠体である。
枠９７，９８の上面には、囲い部材９４の脚１０７を受け入れる（囲い部材９４の脚１０７が挿入される）穴９９が、所定の間隔をあけて複数個（本実施形態では１２個）穿設されている。
【００６１】
枠９７の長手方向（前後方向）における中央部の下面には、直方体形状を呈する凸部１００が下側に向かって連続するようにして設けられている。凸部１００は、四角柱形状を呈する、断面が方形で、かつ、中空の金属（例えば、スチール（鋼））から作られており、内周面および外周面はそれぞれ、縦バー２ｂの内周面および外周面と同じになるようにして形成されている。凸部１００内には、平台９３と縦バー２ｂとを連結するアダプター１０１が下側に突出するようにして挿入され、溶接にて接合されている。アダプター１０１は、四角柱形状を呈する、断面が方形で、かつ、中実（または中空）の金属（例えば、スチール（鋼））から作られており、外周面は、縦バー２ｂの内周面と合致するようにして形成されている。アダプター１０１の正面および背面の中央部には、ハンドルネジ６の軸部外周面に設けられた雄ネジ部６ａ（または六角穴付ボルト５１の軸部外周面に設けられた雄ネジ部５１ａ）を受け入れる穴１０２がそれぞれ一つずつ穿設されており、穴１０２の内周面には、雄ネジ部６ａ（または雄ネジ部５１ａ）と螺合する雌ネジ部（図示せず）が設けられている。
【００６２】
また、フレーム９６の下端には、天板９５を下側から支持する支持板１０３，１０４が設けられている。支持板１０３は、下面視三角形状を呈する板状の部材であり、枠９７と枠９８との接続部における内側に、下端面が枠９７，９８の下端面と同一平面を形成するようにして、枠９７，９８に溶接にて接合されている。支持板１０４は、下面視長方形状を呈する板状の部材であり、下端面が枠９７の下端面と同一平面を形成するとともに、一方の枠９７の長手方向における中央部の内側面と、他方の枠９７の長手方向における中央部の内側面とを連結するようにして、左右一対の枠９７に溶接にて接合されている。
【００６３】
図６２から図６８の少なくとも一図に示すように、囲い部材９４は、互いに平行になるようにして配置された上下一対の横桟１０５と、正面視（背面視）Ｕ字形状を呈する複数個（本実施形態では１２個）の縦桟１０６と、を備えている。
横桟１０５は、円柱形状を呈する、断面が円形で、かつ、中実（または中空）の金属（例えば、スチール（鋼））から作られた丸棒状の部材である。
【００６４】
縦桟１０６は、円柱形状を呈する、断面が円形で、かつ、中実（または中空）の金属（例えば、スチール（鋼））から作られた丸棒状の部材を、長手方向における中央部で湾曲させて正面視（背面視）Ｕ字形状となるようにしたものであり、互いに平行となる２つの直線部１０６ａと、これら直線部１０６ａを連結する半円部１０６ｂとを有している。
横桟１０５の一端（左端）および他端（右端）に配置される縦桟１０６を除いた縦桟１０６は、いずれも脚１０７を有さない形状になっており、これら縦桟１０６は、直線部１０６ａの各先端が下方に位置する横桟１０５に溶接にて接合され、半円部１０６ｂの両端近傍が上方に位置する横桟１０５に溶接にて接合されている。
【００６５】
横桟１０５の一端（左端）および他端（右端）に配置される縦桟１０６はそれぞれ、一方の直線部１０６ａの先端（下端）が下方に位置する横桟１０５の下端よりも下側に突出する脚１０７を有している。横桟１０５の一端（左端）に配置される縦桟１０６は、脚１０７の根本が下方に位置する横桟１０５に溶接にて接合され、半円部１０６ｂの一端（右端）近傍が上方に位置する横桟１０５に溶接にて接合されており、脚１０７を有さない直線部１０６ａは横桟１０５に対して接合されていない。また、横桟１０５の他端（右端）に配置される縦桟１０６は、脚１０７の根本および脚１０７を有さない直線部１０６ａの先端が下方に位置する横桟１０５に溶接にて接合され、半円部１０６ｂの両端近傍が上方に位置する横桟１０５に溶接にて接合されている。
【００６６】
横桟１０５の他端に配置される縦桟１０６の、脚１０７を有さない直線部１０６ａの外側に位置する側面には、隣接して配置される囲い部材９４の、横桟１０５の一端に配置された、脚１０７を有さない直線部１０６ａを受け入れる筒状部材１０８が、上下方向に沿うとともに、所定の間隔をあけて２個配置されている。筒状部材１０８は、円柱形状を呈する、断面が円形で、かつ、中空の金属（例えば、スチール（鋼））から作られた丸棒状の部材であり、内周面は、直線部１０６ａの外周面と合致するようにして形成されている。また、直線部１０６ａと筒状部材１０８とは、直線部１０６ａの外側に位置する側面と、この側面に対向する筒状部材１０８の外周面とが接した状態で、溶接にて接合されている。
【００６７】
本実施形態に係るシステム什器９１によれば、天板９３の上に商品や物品等を陳列したり、展示したりすることができる。
【００６８】
また、本実施形態に係るシステム什器９１によれば、舌片部１１の中央部に設けられた貫通穴１７に、別の脚２の舌片部１２に設けられたピン１８を上方向から挿入して重ねるだけで、脚２同士を簡単、かつ、迅速に連結、分離することができる。
【００６９】
さらに、本実施形態に係るシステム什器９１によれば、一端部の下面および他端部の下面に、設置される床面との間隔を調整するアジャスター２１がそれぞれ設けられているので、脚２の一端部における下面と、設置される床面との間隔、および脚２の他端部における下面と、設置される床面との間隔を、適宜必要に応じて調整することができる。
【００７０】
さらにまた、本考案に係るシステム什器９１によれば、脚２に着脱可能に構成されて、２本の脚２同士が横バー４を介して連結されることになるので、脚２と脚２との間隔を一定に保つことができて、システム什器９１の安定性を向上させることができる。
【００７１】
〔第５実施形態〕
本考案の第５実施形態に係るシステム什器について、図６９から図８４を参照しながら説明する。
図６９に示すように、本実施形態に係るシステム什器１１１は、上述したシステム什器１を二組と、２本の脚２Ａと、ステージ（平台）１１２と、を備え、ステージ１１２の周縁を取り囲むようにして脚２，２Ａが配置されている。
なお、システム什器１については、上述した第１実施形態のものと同じであるので、ここではそれら構成要素についての説明は省略する。
また、脚２Ａは、図８３から図８４に示すように、脚２から縦バー２ｂおよび凸部２３を取り除き、ベース２ａだけにしたものであるので、ここでは脚２Ａの説明は省略する。
さらに、上述した第１実施形態と同一の部材には同一の符号を付している。
【００７２】
図７０から図７７の少なくとも一図に示すように、ステージ１１２は、上面視（下面視）正方形状を呈する床板１１３と、床板１１３の周縁を取り囲むフレーム１１４と、を備えている。
床板１１３は、例えば、化粧板のみからなる板状の部材である。
【００７３】
フレーム１１４は、四角柱形状を呈する、断面が方形で、かつ、中実（または中空）の金属（例えば、スチール（鋼））から作られた左右一対の枠１１５と、前後一対の枠１１６と、を備え、これら枠１１５の両端と枠１１６の両端とが連続するようにして接続された、上面視（下面視）正方形状を呈する枠体である。
【００７４】
枠１１５，１１６の一端部における下面、および枠１１５，１１６の他端部における下面には、高さを調整するためのアジャスター２１がそれぞれ設けられている。アジャスター２１は、円柱形状を呈する軸部（図示せず）と、この軸部の先端（下端）に連続するようにして固定された円板形状を呈する座部２１ａとを備えており、軸部外周面には、枠１１５，１１６の一端部における下面、および枠１１５，１１６の他端部における下面に穿設されて当該軸部を受け入れる穴（図示せず）の内周面に設けられた雌ネジ部と螺合する雄ネジ部が設けられている。そして、アジャスター２１は、自身を下外側から見て時計回り回転させることによって軸部が穴にねじ込まれ、自身を下外側から見て反時計回り回転させることによって軸部が穴から出てきて、枠１１５，１１６の一端部における下面と、設置される床面（図示せず）との間隔、および枠１１５，１１６の他端部における下面と、設置される床面（図示せず）との間隔を調整することができる。
【００７５】
フレーム１１４の下端には、床板１１３を下側から支持する支持板１１７が設けられている。支持板１１７は、下面視三角形状を呈する板状の部材であり、枠１１５と枠１１６との接続部における内側に、下端面が枠１１５，１１６の下端面と同一平面を形成するようにして、枠１１５，１１６に溶接にて接合されている。
【００７６】
枠１１５，１１６の長手方向における中央部には、六角穴付ボルト５１の軸部を受け入れる（六角穴付ボルト５１の軸部が挿通される）穴１１８が、所定の間隔をあけて複数個（本実施形態では２個）穿設されている。穴１１８は、枠１１５，１１６の表面（外側面）と裏面（内側面）とを連通するようにして枠１１５，１１６を貫通しており、内周面には、雄ネジ部５１ａと螺合する雌ネジ部（図示せず）が設けられている。
床板１１３の裏面周縁部には、穴１１８から突出した六角穴付ボルト５１の軸部の先端部を受け入れる凹所１１９が、穴１１８と連通するようにして形成されている。
【００７７】
ここで、上述した脚２のベース２ａの長手方向における中央部、および本実施形態に係る脚２Ａの長手方向における中央部には、穴１１８と連通するとともに、六角穴付ボルト５１の頭部を受け入れる（六角穴付ボルト５１の頭部が挿通される）穴１２０が、所定の間隔をあけて複数個（本実施形態では２個）穿設されている。穴１２０の一端開口における内径は、六角穴付ボルト５１の軸部外周面に形成された雄ネジ部５１ａの外径と同じとされ、穴１２０の内径および穴１２０の他端開口における内径は、六角穴付ボルト５１の頭部の外径と同じか、あるいは六角穴付ボルト５１の頭部の外径よりも若干大きい外径を有するように形成されている。なお、穴１１８の内周面には、雄ネジ部５１ａと螺合する雌ネジ部（図示せず）は設けられていない。
【００７８】
本実施形態に係るシステム什器１１１によれば、床板の上に商品を着せたマネキン人形等を陳列したり、展示したりすることができる。
【００７９】
また、本実施形態に係るシステム什器１１１によれば、舌片部１１の中央部に設けられた貫通穴１７に、別の脚２の舌片部１２に設けられたピン１８を上方向から挿入して重ねるだけで、脚２，２Ａ同士を簡単、かつ、迅速に連結、分離することができる。
【００８０】
さらに、本実施形態に係るシステム什器１１１によれば、一端部の下面および他端部の下面に、設置される床面との間隔を調整するアジャスター２１がそれぞれ設けられているので、脚２，２Ａの一端部における下面と、設置される床面との間隔、および脚２，２Ａの他端部における下面と、設置される床面との間隔を、適宜必要に応じて調整することができる。
【００８１】
さらにまた、本考案に係るシステム什器１１１によれば、脚２に着脱可能に構成されて、２本の脚２同士が横バー４を介して連結されることになるので、脚２と脚２との間隔を一定に保つことができて、システム什器１１１の安定性を向上させることができる。
【００８２】
さらにまた、本考案に係るシステム什器１１１によれば、上方に位置する横バー４に、衣類等を吊り下げたハンガー（図示せず）を引っ掛けて、衣類等を保管、陳列、展示することができる。
【００８３】
〔第６実施形態〕
本考案の第６実施形態に係るシステム什器について、図８５を参照しながら説明する。
図８５に示すように、本実施形態に係るシステム什器１３１は、左右一対の脚２と、左右一対の縦バー３と、横バー４よりも長い二本の横バー４Ｌと、左右一対の横バー固定具５と、４個のハンドルネジ６と、を備えたシステム什器１３２と、上述したシステム什器９１と、を備えている。すなわち、本実施形態に係るシステム什器１３１は、上述したシステム什器１における上下一対の横バー４の代わりに、二本の横バー４Ｌを装着したシステム什器１３２と、上述したシステム什器９１と、を連結したものである。
なお、脚２、縦バー３、横バー４Ｌ、横バー固定具５、ハンドルネジ６、およびシステム什器９１については、上述した実施形態のものと同じであるので、ここではそれら構成要素についての説明は省略する。
また、上述した実施形態と同一の部材には同一の符号を付している。
【００８４】
本実施形態に係るシステム什器１３１によれば、天板９３の上に商品や物品等を陳列したり、展示したりすることができる。
【００８５】
また、本実施形態に係るシステム什器１３１によれば、舌片部１１の中央部に設けられた貫通穴１７に、別の脚２の舌片部１２に設けられたピン１８を上方向から挿入して重ねるだけで、脚２同士を簡単、かつ、迅速に連結、分離することができる。
【００８６】
さらに、本実施形態に係るシステム什器１３１によれば、一端部の下面および他端部の下面に、設置される床面との間隔を調整するアジャスター２１がそれぞれ設けられているので、脚２の一端部における下面と、設置される床面との間隔、および脚２の他端部における下面と、設置される床面との間隔を、適宜必要に応じて調整することができる。
【００８７】
さらにまた、本考案に係るシステム什器１３１によれば、脚２に着脱可能に構成されて、２本の脚２同士が横バー４Ａを介して連結されることになるので、脚２と脚２との間隔を一定に保つことができて、システム什器１３１の安定性を向上させることができる。
【００８８】
さらにまた、本考案に係るシステム什器１３１によれば、上方に位置する横バー４Ｌに、衣類等を吊り下げたハンガー（図示せず）を引っ掛けて、衣類等を保管、陳列、展示することができる。
【００８９】
なお、本考案は上述した実施形態に限定されるものではなく、本考案の要旨を逸脱しない範囲内において適宜変更して実施、あるいは変形して実施することができる。
例えば、図１、図２、図３０、図５４、図６９、および図８５に示すハンドルネジ６の代わりに、六角穴付きボルト５１を使用することもできる。
【符号の説明】
【００９０】
１    システム什器
２    脚
２Ａ  脚
２ｂ  縦バー
３    縦バー
４    横バー
１１    （第一の）舌片部
１２    （第二の）舌片部
１７    ピン挿入穴
１８    ピン
２１    アジャスター
７１    システム什器
８１    システム什器
９１    システム什器
１１１    システム什器
１３１    システム什器
１３２    システム什器
【図１】
0003174565.tif 000003
【図２】
0003174565.tif 000004
【図３】
0003174565.tif 000005
【図４】
0003174565.tif 000006
【図５】
0003174565.tif 000007
【図６】
0003174565.tif 000008
【図７】
0003174565.tif 000009
【図８】
0003174565.tif 000010
【図９】
0003174565.tif 000011
【図１０】
0003174565.tif 000012
【図１１】
0003174565.tif 000013
【図１２】
0003174565.tif 000014
【図１３】
0003174565.tif 000015
【図１４】
0003174565.tif 000016
【図１５】
0003174565.tif 000017
【図１６】
0003174565.tif 000018
【図１７】
0003174565.tif 000019
【図１８】
0003174565.tif 000020
【図１９】
0003174565.tif 000021
【図２０】
0003174565.tif 000022
【図２１】
0003174565.tif 000023
【図２２】
0003174565.tif 000024
【図２３】
0003174565.tif 000025
【図２４】
0003174565.tif 000026
【図２５】
0003174565.tif 000027
【図２６】
0003174565.tif 000028
【図２７】
0003174565.tif 000029
【図２８】
0003174565.tif 000030
【図２９】
0003174565.tif 000031
【図３０】
0003174565.tif 000032
【図３１】
0003174565.tif 000033
【図３２】
0003174565.tif 000034
【図３３】
0003174565.tif 000035
【図３４】
0003174565.tif 000036
【図３５】
0003174565.tif 000037
【図３６】
0003174565.tif 000038
【図３７】
0003174565.tif 000039
【図３８】
0003174565.tif 000040
【図３９】
0003174565.tif 000041
【図４０】
0003174565.tif 000042
【図４１】
0003174565.tif 000043
【図４２】
0003174565.tif 000044
【図４３】
0003174565.tif 000045
【図４４】
0003174565.tif 000046
【図４５】
0003174565.tif 000047
【図４６】
0003174565.tif 000048
【図４７】
0003174565.tif 000049
【図４８】
0003174565.tif 000050
【図４９】
0003174565.tif 000051
【図５０】
0003174565.tif 000052
【図５１】
0003174565.tif 000053
【図５２】
0003174565.tif 000054
【図５３】
0003174565.tif 000055
【図５４】
0003174565.tif 000056
【図５５】
0003174565.tif 000057
【図５６】
0003174565.tif 000058
【図５７】
0003174565.tif 000059
【図５８】
0003174565.tif 000060
【図５９】
0003174565.tif 000061
【図６０】
0003174565.tif 000062
【図６１】
0003174565.tif 000063
【図６２】
0003174565.tif 000064
【図６３】
0003174565.tif 000065
【図６４】
0003174565.tif 000066
【図６５】
0003174565.tif 000067
【図６６】
0003174565.tif 000068
【図６７】
0003174565.tif 000069
【図６８】
0003174565.tif 000070
【図６９】
0003174565.tif 000071
【図７０】
0003174565.tif 000072
【図７１】
0003174565.tif 000073
【図７２】
0003174565.tif 000074
【図７３】
0003174565.tif 000075
【図７４】
0003174565.tif 000076
【図７５】
0003174565.tif 000077
【図７６】
0003174565.tif 000078
【図７７】
0003174565.tif 000079
【図７８】
0003174565.tif 000080
【図７９】
0003174565.tif 000081
【図８０】
0003174565.tif 000082
【図８１】
0003174565.tif 000083
【図８２】
0003174565.tif 000084
【図８３】
0003174565.tif 000085
【図８４】
0003174565.tif 000086
【図８５】
0003174565.tif 000087